(57)【要約】【課題】閃光発光部と照明部の２つの発光部を備える閃光装置において、照明部の点灯による温度上昇を管理することができるようにする。【解決手段】閃光発光部は、閃光発光のための第１の光源を有する。照明部は、所定期間、継続点灯する第２の光源を有する。照明温度検出部は、第２の光源の温度を検出する。制御部は、照明温度検出部で検出された温度に基づいて、第２の光源による点灯を制御する。本技術は、例えば、閃光発光部と照明部を備える閃光装置に適用できる。【選択図】図２
2014016447.tif 000002
【特許請求の範囲】
【請求項１】
閃光発光のための第１の光源を有する閃光発光部と、
所定期間、継続点灯する第２の光源を有する照明部と、
前記第２の光源の温度を検出する照明温度検出部と、
前記照明温度検出部で検出された温度に基づいて、前記第２の光源による点灯を制御する制御部と
を備える閃光装置。
【請求項２】
装置周辺の温度を検出する周辺温度検出部をさらに備え、
前記制御部は、さらに、前記周辺温度検出部で検出された前記装置周辺の温度を基準として、前記第２の光源の点灯による前記照明部の温度の上昇分を加味した結果に基づいて、前記第１の光源による閃光発光を制御する
請求項１に記載の閃光装置。
【請求項３】
前記閃光発光部、前記照明部、及び前記照明温度検出部は、第１本体部に対して回転可能な第２本体部に設けられており、
前記第２本体部が、閃光発光が可能な第１の状態か、または、継続点灯が可能な第２の状態のどちらであるかを検出する状態検出部をさらに備え、
前記制御部は、さらに、前記第２本体部が前記第１の状態であるとき、前記第２の光源を消灯させるように制御する
請求項１に記載の閃光装置。
【請求項４】
前記制御部は、前記第２本体部が前記第２の状態であるとき、前記第２の光源による点灯を許可する許可状態に制御する
請求項３に記載の閃光装置。
【請求項５】
閃光発光のための第１の光源を有する閃光発光部と、所定期間、継続点灯する第２の光源を有する照明部と、前記第２の光源の温度を検出する照明温度検出部とを備える閃光装置が、
前記照明温度検出部で検出された温度に基づいて、前記第２の光源による点灯を制御する
ステップを含む閃光装置の制御方法。
【請求項６】
閃光発光のための第１の光源を有する閃光発光部と、
所定期間、継続点灯する第２の光源を有する照明部と、
前記第２の光源の温度を検出する照明温度検出部と、
前記照明温度検出部で検出された温度に基づいて、前記第２の光源による点灯を制御する制御部と
を備える撮像装置。
【発明の詳細な説明】
【技術分野】
【０００１】
本技術は、閃光装置およびその制御方法、並びに、撮像装置に関し、特に、閃光発光部と照明部の２つの発光部を備える閃光装置において、照明部の点灯による温度上昇を管理することができるようにする閃光装置およびその制御方法、並びに、撮像装置に関する。
【背景技術】
【０００２】
デジタルカメラなどの撮像装置に装着して使用する閃光装置（フラッシュ装置）において、フラッシュ（閃光発光）用の光源と、被写体を継続的に照明する照明用の光源の２つの光源を備えたものがある（例えば、特許文献１，２参照）。フラッシュ用の光源は、例えば、キセノン管で構成され、照明用の光源は、LED(Light Emitting Diode）で構成される。
【先行技術文献】
【特許文献】
【０００３】
【特許文献１】特開２０１０−１４５７６０号公報
【特許文献２】特開２０１０−１３４０９１号公報
【発明の概要】
【発明が解決しようとする課題】
【０００４】
閃光発光部と照明部の２つの発光部を備える閃光装置においては、照明用光源を一定期間点灯させておくと、点灯時間に応じて、照明部付近の温度が上昇する。そして、照明部付近の温度上昇は、温度伝達によって、もう一方の閃光発光部付近にまで及び、閃光発光部にも影響を及ぼすことが懸念される。
【０００５】
本技術は、このような状況に鑑みてなされたものであり、閃光発光部と照明部の２つの発光部を備える閃光装置において、照明部の点灯による温度上昇を管理することができるようにするものである。
【課題を解決するための手段】
【０００６】
本技術の第１の側面の閃光装置は、閃光発光のための第１の光源を有する閃光発光部と、所定期間、継続点灯する第２の光源を有する照明部と、前記第２の光源の温度を検出する照明温度検出部と、前記照明温度検出部で検出された温度に基づいて、前記第２の光源による点灯を制御する制御部とを備える。
【０００７】
本技術の第１の側面の閃光装置の制御方法は、閃光発光のための第１の光源を有する閃光発光部と、所定期間、継続点灯する第２の光源を有する照明部と、前記第２の光源の温度を検出する照明温度検出部とを備える閃光装置が、前記照明温度検出部で検出された温度に基づいて、前記第２の光源による点灯を制御するステップを含む。
【０００８】
本技術の第２側面の撮像装置は、閃光発光のための第１の光源を有する閃光発光部と、所定期間、継続点灯する第２の光源を有する照明部と、前記第２の光源の温度を検出する照明温度検出部と、前記照明温度検出部で検出された温度に基づいて、前記第２の光源による点灯を制御する制御部とを備える。
【０００９】
本技術の第１及び第２の側面においては、閃光発光のための第１の光源を有する閃光発光部と、所定期間、継続点灯する第２の光源を有する照明部と、前記第２の光源の温度を検出する照明温度検出部とを備える閃光装置または撮像装置において、前記照明温度検出部で検出された温度に基づいて、前記第２の光源による点灯が制御される。
【００１０】
閃光装置または撮像装置は、独立した装置であっても良いし、１つの装置を構成している内部ブロックであっても良い。
【発明の効果】
【００１１】
本技術の第１及び第２の側面によれば、閃光発光部と照明部の２つの発光部を備える閃光装置において、照明部の点灯による温度上昇を管理することができる。
【図面の簡単な説明】
【００１２】
【図１】本技術が適用された閃光装置（フラッシュ装置）の斜視図である。
【図２】閃光装置の電気的な構成を示すブロック図である。
【図３】閃光装置を被写体側から見た正面図である。
【図４】閃光装置の側面図である。
【図５】閃光装置の側面図である。
【図６】発光パネルの温度の算出方法について説明する図である。
【図７】発光パネルの温度の算出方法について説明する図である。
【図８】発光パネルの温度の算出方法について説明する図である。
【図９】位置制御処理を説明するフローチャートである。
【図１０】LED温度制御処理を説明するフローチャートである。
【図１１】フラッシュ制御処理を説明するフローチャートである。
【図１２】図１１のステップＳ２１の発光パネル温度算出処理を説明するフローチャートである。
【発明を実施するための形態】
【００１３】
以下、本技術を実施するための形態（以下、実施の形態という）について説明する。
【００１４】
［閃光装置の斜視図］
図１は、本技術が適用された閃光装置（フラッシュ装置）の斜視図を示している。
【００１５】
閃光装置１は、デジタルカメラなどの撮像装置への装着部となるフット部１１Aを含む本体部１１と、本体部１１に対して回転機構１２により回転可能とされるヘッド部１３とで構成されている。
【００１６】
ヘッド部１３は、第１の光源として、閃光発光のための放電管を有する閃光発光部２６（図２）と、第２の光源として、継続点灯が可能なLEDを有するLED照明部２８（図２）の２つの発光部を備える。なお、以下では、閃光発光のための放電管は、キセノン管であるとして説明する。
【００１７】
略直方体のヘッド部１３の所定の一面には、キセノン管で発光された光の到達距離を伸ばす発光パネル（フレネルパネル）１４が設けられている。また、発光パネル１４が設けられている面と垂直な、ヘッド部１３の他の一面には、LEDパネル１５が設けられている。図１の斜視図では、発光パネル１４が鉛直上方を向き、LEDパネル１５が被写体方向である正面を向いている。回転機構１２により本体部１１に対してヘッド部１３を回転させることにより、発光パネル１４が被写体方向である正面を向き、LEDパネル１５が鉛直下方を向くようにさせることができる。
【００１８】
［閃光装置の電気的構成］
図２は、閃光装置１の電気的な構成を示すブロック図である。
【００１９】
電源回路２２は、バッテリなどで構成される電池２１の電力を、閃光装置１内の各部に供給する。図２では、電源回路２２から閃光発光部２６までの電力供給経路のみが、太線で図示されている。なお、電池２１は、閃光装置１が装着される撮像装置に設けられ、閃光装置１は撮像装置から電力の供給を受けるようにしてもよい。
【００２０】
充電・昇圧回路２３は、電源回路２２から供給される所定電圧の電力を設定電圧値まで昇圧して、メインコンデンサ２４に供給する。メインコンデンサ２４は、充電・昇圧回路２３から供給される電力を蓄え、充電電圧検出回路２５は、メインコンデンサ２４の充電電圧が、閃光発光部２６の閃光発光に必要な電圧まで充電されたかを検出する。
【００２１】
閃光発光部２６は、キセノン管（放電管）４４（図６）と、発光パネル１４（図１）を有し、発光制御部２７の制御により、メインコンデンサ２４に蓄えられた電力を使用して、閃光発光する。発光制御部２７は、制御部３３からの発光指示に基づいて、閃光発光部２６のキセノン管４４を閃光発光させる。
【００２２】
LED照明部２８は、１以上のLED４１（図３）と、その前面に設けられた光拡散用のLEDパネル１５（図１）とを有し、制御指示された期間、点灯することにより被写体を照明する。
【００２３】
LED温度検出部２９は、LED照明部２８内のLED４１の近傍に配置され、LED点灯による温度の上昇を管理するため、LEDの温度（以下、LED温度ともいう。）を検出（計測）する。LED温度検出部２９は、例えば、サーミスタで構成される。
【００２４】
操作部３０は、複数の操作ボタン等で構成され、ユーザによるフラッシュモードの変更、LED照明の点灯などの操作を受け付け、受け付けた操作を示す制御信号を制御部３３に供給する。
【００２５】
周囲温度検出部３１は、キセノン管４４の発光による温度の上昇を測定するため、基準となる装置周辺の温度を検出（計測）する。周囲温度検出部３１は、例えば、サーミスタで構成される。
【００２６】
位置検出部３２は、位置検出SW４２（図４）により、ヘッド部１３の回転状態を検出する。具体的には、位置検出部３２は、発光パネル１４が被写体方向を向いている状態であるか、または、LEDパネル１５が被写体方向を向いている状態であるかを検出する。
【００２７】
制御部３３は、記憶部３３aに記憶されている制御プログラムに基づいて、各部から供給される制御信号や所定の状態を示す状態信号に基づいて、装置内の各部を制御する。例えば、制御部３３は、LED温度検出部２９および周囲温度検出部３１で検出された温度等に基づいて、LED４１の発光制御、および、キセノン管４４の発光制御を行う。制御部３３内のタイマ３３bは、例えば、LED照明の点灯を禁止する冷却期間など、任意の期間をカウントするために用いられる。制御部３３は、例えば、CPU（Central Processing Unit）で構成され、記憶部３３aは、フラッシュメモリなどの不揮発性メモリで構成される。
【００２８】
カメラI/F部３４は、制御部３３と撮像装置との間で、制御信号のやりとりを中継する。表示部３５は、液晶パネル等で構成され、制御部３３の制御に基づいて、現在のフラッシュモードや、撮影モードなどの表示を行う。
【００２９】
［閃光装置の正面図］
図３は、閃光装置１を被写体側から見た正面図を示している。図３Aは、LEDパネル１５を被写体側である正面に向けた状態、図３Bは、発光パネル１４を正面に向けた状態を示している。
【００３０】
図３Aに示されるように、LEDパネル１５が、被写体方向である正面を向いている場合には、発光パネル１４は鉛直上方を向いている。図３Aの状態から、回転機構１２によりヘッド部１３が回転され、図３Bに示されるように、発光パネル１４を被写体方向である正面に向けた場合には、LEDパネル１５は鉛直下方を向く。
【００３１】
LEDパネル１５の内部には、１以上のLED４１が設けられている。図３Aでは、LEDパネル１５内部のLED４１が破線で示されており、３つのLED４１１乃至４１３が、一列に並んで配置されている。また、図３Aでは、LEDパネル１５内のLED４１２の近傍に配置されている、LED温度検出部２９としてのサーミスタも、破線で示されている。なお、LED温度検出部２９の位置は、図３Aに示した位置に限定されるものではなく、LED４１全体の温度が効率よく測定できる場所であればどこでもよい。
【００３２】
［閃光装置の側面図］
図４は、閃光装置１の側面図を示している。図４Aは、発光パネル１４を上方に向けた状態の側面図であり、図３Aに対応する。図４Bは、発光パネル１４を正面に向けた状態の側面図であり、図３Bに対応する。
【００３３】
回転機構１２には、ヘッド部１３の回転状態を検出する位置検出SW４２が設けられている。位置検出SW４２は、２つの接点４２Aと４２Bで構成され、位置検出部３２の一部を構成する。なお、図４では、位置検出SW４２が外側から見えるような位置に示されているが、位置検出SW４２は、回転機構１２の内部に設けられていてもよい。
【００３４】
ヘッド部１３の側面には、操作部３０の一つである照明ボタン４３が設けられている。照明ボタン４３は、LED照明（LED４１）を点灯させるときにユーザによって押下される。
【００３５】
図４Aに示されるように、LEDパネル１５が正面を向いている状態では、２つの接点４２Aと４２Bが対向する位置に移動して近接し、位置検出SW４２はオン（ON）となる。位置検出SW４２がオン（ON）のとき、位置検出部３２から制御部３３へ、SWオンを示す制御信号が供給される。後述するように、位置検出SW４２がオンのとき、LED照明が許可された状態となり、ユーザが照明ボタン４３を押下することで、LED４１が点灯する。
【００３６】
一方、図４Bに示されるように、発光パネル１４が正面を向いている状態では、２つの接点４２Aと４２Bが離れた位置に移動し、位置検出SW４２はオフ（OFF）となる。位置検出SW４２がオフ（OFF）のとき、位置検出部３２から制御部３３へ、SWオフを示す制御信号が供給される。位置検出SW４２がオフのとき、LED照明が禁止された状態となり、LED４１は、制御部３３によって強制的に消灯される。
【００３７】
以上のように、閃光装置１では、位置検出SW４２により、閃光発光部２６とLED照明部２８のどちらが有効か、より具体的には、発光パネル１４とLEDパネル１５のどちらが正面（被写体側）を向いているかを判定し、発光パネル１４が正面を向いている場合には、LED４１が強制的にオフされる。これにより、LED４１が不必要に点灯することを防止し、不要な点灯によるLED照明部２８の温度上昇を防止することができる。また、回転状態に連動してLED４１を消灯させるので、ユーザの消灯操作の手間を省くことができ、利便性が高まる。
【００３８】
なお、図４Bのように、発光パネル１４が正面を向いた状態の回転機構１２の回転角を０°、図４Aのように、発光パネル１４が上方を向いた状態の回転機構１２の回転角を＋９０°とすると、回転機構１２の回転角が、図５に示すように、マイナスの角度になったときに、初めてLED４１を消灯させるようにしてもよい。
【００３９】
［発光パネルの温度の算出方法の説明］
図６乃至図８を参照して、発光パネル１４の温度の算出方法について説明する。
【００４０】
LED４１の点灯によるLED照明部２８の温度上昇は、LED温度検出部２９によって、直接、検出される。
【００４１】
図６は、LED４１の点灯によるLED照明部２８の温度上昇を示すグラフである。
【００４２】
図６に示されるように、LED４１の点灯時間が長くなるにしたがい、LED照明部２８の温度は上昇し、所定時間経過後に、限界温度LMに達する。制御部３３は、LED温度検出部２９で検出された温度を取得し、取得された温度に基づいて、LED４１の点灯を制御する。具体的には、制御部３３は、取得された温度が限界温度LM以上である場合、LED４１を消灯させたり、LED４１の発光輝度を落とすなど、LED４１を制限する。
【００４３】
一方、キセノン管４４の発光による温度上昇については、キセノン管４４の近傍に温度検出部（サーミスタ）が設けられていないため、直接検出することはできない。しかし、キセノン管４４の発光による発熱（温度上昇）が一定値以上になると、前面に設けられた発光パネル１４が軟化（変形や溶解）するため、発光パネル１４の温度を管理して、発光を制御する必要がある。
【００４４】
通常、発光パネル１４の温度は、周囲温度を基準として、キセノン管４４の発光による発光量と、発光後の経過時間（発光間隔）から、計算される。具体的には、以下の式（１）により計算される。
Tp＝Ta＋Tf−Tr      ・・・・・・・・・・・・・・・・（１）
ここで、Tpは、発光パネル１４の温度、Taは、周囲温度検出部３１で検出された周囲温度を表し、Tfは、キセノン管４４の閃光発光による温度上昇分を表し、Trは、キセノン管４４による過去の閃光発光からの経過時間に応じた温度下降分を表す。
【００４５】
周囲温度を検出する周囲温度検出部３１は、LED４１の点灯と、キセノン管４４の発光による温度影響を受けない箇所、例えば、図７に示されるように、本体部１１の所定の場所に配置される。
【００４６】
閃光装置１が、閃光発光のためのキセノン管４４のみである場合には、発光パネル１４の温度Tpは、式（１）の計算でよい。しかし、本実施の形態のように、閃光装置１が、キセノン管４４の他に、照明用のLED４１も有している場合には、発光パネル１４の温度Tpは、キセノン管４４の発光以外に、LED４１の点灯にも影響される。
【００４７】
図８は、LED４１の点灯による発光パネル１４の温度上昇を示すグラフである。
【００４８】
図８に示されるように、LED４１の点灯開始時のLED照明部２８の温度をTla、LED４１点灯終了時のLED照明部２８の温度をTlbとし、所定期間のLED４１の点灯により、LED照明部２８の温度がΔTlだけ上昇したとする。このとき、発光パネル１４の温度Tpも、LED照明部２８の温度上昇分ΔTlに応じた所定の比率ｋに対応するTl（＝ｋ×ΔTl）だけ上昇する。
【００４９】
そこで、制御部３３は、発光パネル１４（閃光発光部２６）の温度Tpを、周囲温度を基準とするキセノン管４４の発光量と発光間隔に加えて、LED４１の点灯によるLED照明部２８の温度の上昇分ΔTlを加味した結果に基づいて、算出する。
【００５０】
具体的には、制御部３３は、以下の式（２）により、発光パネル１４の温度Tpを計算する。
Tp＝Ta＋Tf−Tr＋Tl      ・・・・・・・・・・・・・・・・（２）
式（２）において、Tlは、LED点灯による発光パネル１４の温度上昇分を表し、LED４１の点灯によるLED照明部２８の温度の上昇分ΔTlの所定比率ｋで表される。所定の比率ｋは、実験等により予め決定されて、記憶部３３aに記憶されている。閃光発光による温度上昇分Tfや、経過時間（発光間隔）に応じた温度下降分Trも、一回の発光時の発光量や経過時間に対応付けたテーブルとして、記憶部３３aに記憶されている。
【００５１】
制御部３３は、以上の計算式（２）により算出された発光パネル１４の温度Tpに基づいて、キセノン管４４による発光を制御する。具体的には、制御部３３は、計算された温度Tpが限界温度XM以上である場合、キセノン管４４による発光（フラッシュ）を禁止し、前回からの発光間隔を長くする。
【００５２】
［位置制御処理フロー］
次に、図９のフローチャートを参照して、位置検出SW４２の制御信号に基づいてLED照明を制御する位置制御処理について説明する。この処理は、例えば、ユーザによって照明ボタン４３が押下されたり、LED照明を点灯させる撮影モードに設定されるなど、LED照明の点灯が指示されている場合に常時実行される。
【００５３】
初めに、ステップＳ１において、制御部３３は、位置検出SW４２がオンしているかを判定する。
【００５４】
ステップＳ１で、位置検出SW４２がオンしていると判定された場合、処理はステップＳ２に進み、制御部３３は、LED照明部２８への電力供給をオンし、ステップＳ３において、LED照明部２８を点灯許可状態に設定する。これにより、LED４１が点灯する。
【００５５】
一方、ステップＳ１で、位置検出SW４２がオフしていると判定された場合、処理はステップＳ４に進み、制御部３３は、LED照明部２８を点灯禁止状態に設定する。これによりLED４１が消灯する。そして、ステップＳ５において、制御部３３は、LED照明部２８への電力供給をオフする。
【００５６】
ステップＳ３またはステップＳ５の後、処理はステップＳ１に戻り、ステップＳ１ないしステップＳ５の処理が繰り返される。
【００５７】
以上の位置制御処理によれば、位置検出SW４２により、LEDパネル１５が正面を向いている状態か否かが判定され、LEDパネル１５が正面を向いているときのみLED照明を点灯し、LEDパネル１５が正面を向いていないときには、LED照明は消灯される。したがって、LED４１が不必要に点灯することを防止し、消費電力を低減させることができる。また、LED４１の不要な点灯による温度上昇を防止することができる。
【００５８】
［LED温度制御処理フロー］
次に、図１０のフローチャートを参照して、LED照明部２８の温度を制御するLED温度制御処理について説明する。この処理は、例えば、LED照明の点灯が指示されている場合に常時実行される。
【００５９】
初めに、ステップＳ１１において、制御部３３は、LED温度検出部２９で検出されたLED温度を取得する。そして、ステップＳ１２において、制御部３３は、取得したLED温度が予め設定されている限界温度LM以上であるかを判定する。
【００６０】
ステップＳ１２で、取得したLED温度が限界温度LM以上であると判定された場合、処理はステップＳ１３に進み、制御部３３は、LED照明部２８を点灯禁止状態に設定する。これによりLED４１が消灯する。
【００６１】
そして、制御部３３は、ステップＳ１４において、LED温度検出部２９で検出されたLED温度を取得し、ステップＳ１５において、LED温度が限界温度LMより低くなったかを判定する。ステップＳ１５で、LED温度が限界温度LMより低くなっていない、換言すれば、まだ限界温度LM以上であると判定された場合、処理はステップＳ１４に戻る。
【００６２】
一方、ステップＳ１５で、LED温度が限界温度LMより低くなったと判定された場合、処理はステップＳ１６に進み、制御部３３は、LED照明部２８を点灯許可状態に設定する。これにより、LED４１が点灯する。
【００６３】
ステップＳ１６の処理後、および、ステップＳ１２で、LED温度が限界温度LMより低いと判定された場合、処理はステップＳ１１に戻り、上述した処理が再度繰り返される。
【００６４】
LED温度制御処理では、以上のように、LED温度が限界温度LM以上であるかが確認され、限界温度LM以上である場合、LED照明部２８が点灯禁止状態に設定される。これにより、LED４１は消灯する。そして、LED温度が限界温度LMよりも低くなったとき、再び、LED照明部２８が点灯許可状態に設定されるので、LED４１が点灯する。
【００６５】
したがって、LED温度が所定の温度以上の高温にならないように管理することができる。
【００６６】
なお、上述した例では、LED温度が限界温度LM以上である場合、LED照明部２８を点灯禁止状態に設定し、消灯するようにしたが、完全に消灯するのではなく、発光量を落とすなどして、LED４１の点灯を制限し、LED温度が高温にならないように制御してもよい。
【００６７】
図９の位置制御処理と、図１０のLED温度制御処理は、並行して実行されるので、実際には、位置制御処理とLED温度制御処理の両方で、LED照明部２８が点灯許可状態となっているときに、LED４１が点灯する。
【００６８】
［フラッシュ制御処理フロー］
次に、図１１のフローチャートを参照して、発光パネル１４の温度Tpに基づいてフラッシュを制御するフラッシュ制御処理について説明する。この処理は、例えば、フラッシュ撮影モードなど、撮像装置がフラッシュを利用する所定の撮影モードに設定されている場合に常時実行される。
【００６９】
初めに、ステップＳ２１において、制御部３３は、発光パネル１４の温度Tpを算出する発光パネル温度算出処理を実行する。この処理の詳細については、図１２を参照して後述する。
【００７０】
ステップＳ２２において、制御部３３は、算出した発光パネル温度Tpが予め設定されている限界温度XM以上であるかを判定する。
【００７１】
ステップＳ２２で、発光パネル温度Tpが限界温度XM以上であると判定された場合、処理はステップＳ２３に進み、制御部３３は、フラッシュを禁止する。この場合、本来、フラッシュが必要な明るさで撮影が行われたとしても、制御部３３は、発光制御部２７に発光の指令を供給しない。
【００７２】
一方、ステップＳ２２で、発光パネル温度Tpが限界温度XMより低いと判定された場合、処理はステップＳ２４に進み、制御部３３は、フラッシュを許可する。この場合、フラッシュが必要な明るさで撮影が行われた場合や、強制的にフラッシュがオンされている場合、制御部３３は、撮影のタイミングに合わせて、発光制御部２７に発光の指令を供給する。
【００７３】
ステップＳ２３またはＳ２４の処理後、処理はステップＳ２１に戻り、上述したステップＳ２１乃至Ｓ２４の処理が繰り返される。
【００７４】
次に、図１２のフローチャートを参照して、上述したステップＳ２１として実行される発光パネル温度算出処理を説明する。
【００７５】
初めに、ステップＳ３１において、制御部３３は、周囲温度検出部３１で検出された周囲温度Taを取得する。
【００７６】
ステップＳ３２において、制御部３３は、LED照明が点灯したかを判定し、LED照明が点灯したと判定されるまで、ステップＳ３１及びＳ３２の処理を繰り返す。
【００７７】
そして、ステップＳ３２で、LED照明が点灯したと判定された場合、処理はステップＳ３３に進み、制御部３３は、点灯前（点灯開始時点）のLED温度TlaをLED温度検出部２９から取得する。
【００７８】
そして、ステップＳ３４において、制御部３３は、LED照明が消灯したかを判定し、LED照明が消灯したと判定されるまで、ステップＳ３４の処理を繰り返す。
【００７９】
そして、ステップＳ３４で、LED照明が消灯したと判定された場合、処理はステップＳ３５に進み、制御部３３は、消灯時のLED温度TlbをLED温度検出部２９から取得し、ステップＳ３６において、LED点灯によるLED照明部２８の温度上昇分ΔTl（＝Tlb-Tla）を算出する。
【００８０】
そして、制御部３３は、ステップＳ３７において、LED点灯による発光パネル１４の温度上昇分Tlを、Tl＝ｋ×ΔTlにより算出し、ステップＳ３８において、発光パネル１４の温度Tpを、式（２）により算出して、図１１の処理に戻る。
【００８１】
以上のフラッシュ制御処理によれば、算出した発光パネル１４の温度Tpに基づいて、フラッシュが制御（管理）される。ここで算出される発光パネル１４の温度Tpには、キセノン管４４の発光量と発光間隔に加えて、LED４１の点灯によるLED照明部２８の温度の上昇分ΔTlも考慮されている。したがって、発光パネル１４の温度上昇を、より精度よく管理することができ、閃光装置１の信頼性および安全性を高めることができる。
【００８２】
換言すれば、上述した閃光装置１によれば、LED４１の近傍に、LED温度を管理するためのLED温度検出部２９を設けるととともに、LED温度検出部２９で検出されたLED温度を利用して、発光パネル１４の温度Tpを、式（２）により、高精度に管理することができる。
【００８３】
上述した閃光装置１は、デジタルカメラなどの撮像装置に対して装着される外付けの装置として説明したが、撮像装置の一部として組み込まれていてもよい。換言すれば、閃光装置１を一体として備える撮像装置が、上述した発光制御を行うようにすることもできる。
【００８４】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【００８５】
本技術の実施の形態は、上述した実施の形態に限定されるものではなく、本技術の要旨を逸脱しない範囲において種々の変更が可能である。
【００８６】
なお、本技術は以下のような構成も取ることができる。
（１）
閃光発光のための第１の光源を有する閃光発光部と、
所定期間、継続点灯する第２の光源を有する照明部と、
前記第２の光源の温度を検出する照明温度検出部と、
前記照明温度検出部で検出された温度に基づいて、前記第２の光源による点灯を制御する制御部と
を備える閃光装置。
（２）
装置周辺の温度を検出する周辺温度検出部をさらに備え、
前記制御部は、さらに、前記周辺温度検出部で検出された前記装置周辺の温度を基準として、前記第２の光源の点灯による前記照明部の温度の上昇分を加味した結果に基づいて、前記第１の光源による閃光発光を制御する
前記（１）に記載の閃光装置。
（３）
前記閃光発光部、前記照明部、及び前記照明温度検出部は、第１本体部に対して回転可能な第２本体部に設けられており、
前記第２本体部が、閃光発光が可能な第１の状態か、または、継続点灯が可能な第２の状態のどちらであるかを検出する状態検出部をさらに備え、
前記制御部は、さらに、前記第２本体部が前記第１の状態であるとき、前記第２の光源を消灯させるように制御する
前記（１）または（２）に記載の閃光装置。
（４）
前記制御部は、前記第２本体部が前記第２の状態であるとき、前記第２の光源による点灯を許可する許可状態に制御する
前記（３）に記載の閃光装置。
（５）
閃光発光のための第１の光源を有する閃光発光部と、所定期間、継続点灯する第２の光源を有する照明部と、前記第２の光源の温度を検出する照明温度検出部とを備える閃光装置が、
前記照明温度検出部で検出された温度に基づいて、前記第２の光源による点灯を制御する
ステップを含む閃光装置の制御方法。
（６）
閃光発光のための第１の光源を有する閃光発光部と、
所定期間、継続点灯する第２の光源を有する照明部と、
前記第２の光源の温度を検出する照明温度検出部と、
前記照明温度検出部で検出された温度に基づいて、前記第２の光源による点灯を制御する制御部と
を備える撮像装置。
【符号の説明】
【００８７】
１  閃光装置，  ２６  閃光発光部，  ２８  LED照明部，  ２９  LED温度検出部，  ３１  周囲温度検出部，  ３２  位置検出部，  ３３  制御部
【図１】
2014016447.tif 000003
【図２】
2014016447.tif 000004
【図３】
2014016447.tif 000005
【図４】
2014016447.tif 000006
【図５】
2014016447.tif 000007
【図６】
2014016447.tif 000008
【図７】
2014016447.tif 000009
【図８】
2014016447.tif 000010
【図９】
2014016447.tif 000011
【図１０】
2014016447.tif 000012
【図１１】
2014016447.tif 000013
【図１２】
2014016447.tif 000014